(57)【要約】【課題】医用画像とともに表示される被検者に関する情報を秘匿化したい場合に、操作者に負担を強いることなく秘匿化できる医用画像診断装置及び医用画像診断システムを提供する。【解決手段】医用画像診断装置２は、被検者の医用画像が記憶された記憶部２２と、記憶部２２に記憶された医用画像を表示する表示部２３と、被検者に関する情報が記憶されたサーバー３とネットワーク４を介して接続するためのネットワークインターフェース２１と、前記サーバー３から被検者に関する情報が送信された場合にのみ、このサーバー３から送信された被検者に関する情報を、前記記憶部２２に記憶された医用画像とともに前記表示部２３に表示させる表示制御部２４と、を備えることを特徴とする。【選択図】図２
2010022678.tif 000002
【特許請求の範囲】
【請求項１】
被検者の医用画像が記憶された記憶部と、
該記憶部に記憶された医用画像を表示する表示部と、
被検者に関する情報が記憶されたサーバーとネットワークを介して接続するためのネットワークインターフェースと、
前記サーバーから被検者に関する情報が送信された場合にのみ、このサーバーから送信された被検者に関する情報を、前記記憶部に記憶された医用画像とともに前記表示部に表示させる表示制御部と、
を備えることを特徴とする医用画像診断装置。
【請求項２】
前記表示制御部は、前記医用画像診断装置が前記サーバーと接続状態にある時に、被検者に関する情報を医用画像とともに前記表示部に表示させる
ことを特徴とする請求項１に記載の医用画像診断装置。
【請求項３】
前記医用画像診断装置は、前記サーバーと通信を行なって、該サーバーに記憶された特定の被検者に関する情報を送信するよう前記サーバーへ要求する制御部を備え、
前記表示制御部は、前記制御部の送信要求に応じて前記サーバーから送信された特定の被検者に関する情報を医用画像とともに表示させる
ことを特徴とする請求項１又は２に記載の医用画像診断装置。
【請求項４】
前記制御部は前記サーバーと通信できない状態にあるとき、被検者に関する情報を表示させないように前記表示制御部へ指示信号を出力する
ことを特徴とする請求項３に記載の医用画像診断装置。
【請求項５】
前記記憶部には複数の被検者の医用画像が記憶されており、
また、前記サーバーには複数の被検者に関する情報が記憶されており、
前記医用画像診断装置は、複数の被検者のうち、前記記憶部に記憶された医用画像及び前記サーバーに記憶された情報が表示される被検者を特定するための入力を行う入力部を備え、
前記表示制御部は、前記入力部による入力によって特定された被検者の医用画像及び前記サーバーに記憶された情報を表示させる
ことを特徴とする請求項１〜４のいずれか一項に記載の医用画像診断装置。
【請求項６】
前記サーバーには、被検者に関する情報として、複数の被検者の氏名及び／又はＩＤを含む情報が記憶されており、
前記表示制御部は、前記サーバーに記憶された複数の被検者の情報として、少なくとも氏名及び／又はＩＤを前記表示部に表示させた後、該表示部に表示された複数の被検者の中から、前記入力部によって特定の被検者が選択されると、選択された被検者について前記サーバーに記憶された情報を医用画像とともに表示させる
ことを特徴とする請求項５に記載の医用画像診断装置。
【請求項７】
前記制御部は、前記サーバーに記憶された複数の被検者の情報のうち、少なくとも氏名及び／又はＩＤの情報を送信するよう前記サーバーへ要求し、
前記表示制御部は、前記制御部の送信要求に応じて前記サーバーから送信された複数の被検者の氏名及び／又はＩＤを前記表示部に表示させ、この表示により、医用画像及び前記サーバーに記憶された情報を表示させたい被検者の選択を可能にする
ことを特徴とする請求項６に記載の医用画像診断装置。
【請求項８】
前記制御部は、前記表示部に氏名及び／又はＩＤが表示された複数の被検者の中から特定の被検者が選択されると、この特定の被検者について前記サーバーに記憶された情報を送信するよう前記サーバーへ要求し、
前記表示制御部は、前記制御部の送信要求に応じて前記サーバーから送信された特定の被検者に関する情報を医用画像とともに前記表示部に表示させる
ことを特徴とする請求項６又は７に記載の医用画像診断装置。
【請求項９】
前記制御部は、前記サーバーに記憶された複数の被検者の氏名及び／又はＩＤを含む情報を送信するよう前記サーバーへ要求し、
前記表示制御部は、前記制御部の送信要求に応じて前記サーバーから送信された複数の被検者の氏名及び／又はＩＤを含む情報を前記表示部に表示させた後、前記表示部に表示された複数の被検者の中から特定の被検者が選択されると、選択された被検者についての情報を医用画像とともに前記表示部に表示させる
ことを特徴とする請求項６に記載の医用画像診断装置。
【請求項１０】
被検者を特定するために前記入力部で入力される情報は、被検者の氏名及び／又はＩＤであり、前記制御部は、前記入力部によって入力された氏名及び／又はＩＤによって特定される被検者について前記サーバーに記憶された情報を送信するよう前記サーバーへ要求し、
前記表示制御部は、前記制御部の送信要求に基づいて前記サーバーから送信された特定の被検者に関する情報を医用画像とともに前記表示部に表示させる
ことを特徴とする請求項５に記載の医用画像診断装置。
【請求項１１】
前記記憶部に記憶された医用画像データに付帯して被検者のＩＤ情報が記憶されている
ことを特徴とする請求項１〜１０のいずれか一項に記載の医用画像診断装置。
【請求項１２】
被検者に関する情報が記憶されたサーバーと、該サーバーとネットワークを介して接続される医用画像診断装置とを備え、
該医用画像診断装置は、被検者の医用画像が記憶された記憶部と、該記憶部に記憶された医用画像を表示する表示部と、前記サーバーとネットワークを介して接続するためのネットワークインターフェースと、前記サーバーから被検者に関する情報が送信された場合にのみ、このサーバーから送信された被検者に関する情報を、前記記憶部に記憶された医用画像とともに前記表示部に表示させる表示制御部とを有する
ことを特徴とする医用画像診断システム。
【請求項１３】
前記表示制御部は、前記医用画像診断装置が前記サーバーと接続状態にある時に、被検者に関する情報を医用画像とともに前記表示部に表示させる
ことを特徴とする請求項１２に記載の医用画像診断システム。
【請求項１４】
前記医用画像診断装置は、前記サーバーと通信を行なって、該サーバーに記憶された特定の被検者に関する情報を送信するよう前記サーバーへ要求する制御部を有し、
前記表示制御部は、前記制御部の送信要求に応じて前記サーバーから送信された特定の被検者に関する情報を医用画像とともに表示させる
ことを特徴とする請求項１２又は１３に記載の医用画像診断システム。
【請求項１５】
前記制御部は前記サーバーと通信できない状態にあるとき、被検者に関する情報を表示させないように前記表示制御部へ指示信号を出力する
ことを特徴とする請求項１４に記載の医用画像診断システム。
【請求項１６】
前記記憶部には複数の被検者の医用画像が記憶されており、
また、前記サーバーには複数の被検者に関する情報が記憶されており、
前記医用画像診断装置は、複数の被検者のうち、前記記憶部に記憶された医用画像及び前記サーバーに記憶された情報が表示される被検者を特定するための入力を行う入力部を有し、
前記表示制御部は、前記入力部による入力によって特定された被検者の医用画像及び前記サーバーに記憶された情報を表示させる
ことを特徴とする請求項１２〜１５のいずれか一項に記載の医用画像診断システム。
【請求項１７】
前記サーバーは、該サーバーに記憶された複数の被検者に関する情報として、少なくとも氏名及び／又はＩＤを含む情報を前記画像診断装置側へ送信し、
前記表示制御部は、前記サーバーから送信された複数の被検者の情報として、少なくとも氏名及び／又はＩＤを含む情報を前記表示部に表示させた後、該表示部に表示された複数の被検者の中から、前記入力部によって特定の被検者が選択されると、選択された被検者について前記サーバーに記憶された情報を医用画像とともに表示させる
ことを特徴とする請求項１６に記載の医用画像診断システム。
【請求項１８】
前記サーバーから前記画像診断装置側への情報送信は、前記制御部から前記サーバーへの送信要求に応じて行なわれる
ことを特徴とする請求項１７に記載の医用画像診断システム。
【請求項１９】
被検者を特定するために前記入力部で入力される情報は、被検者の氏名及び／又はＩＤであり、前記制御部は、前記入力部によって入力された氏名及び／又はＩＤによって特定される被検者について前記サーバーに記憶された情報を送信するよう前記サーバーへ要求し、
前記サーバーは、前記制御部から送信要求があった被検者について前記サーバーに記憶された情報を前記医用画像診断装置側へ送信し、
前記表示制御部は、前記サーバーから送信された特定の被検者に関する情報を医用画像とともに前記表示部に表示させる
ことを特徴とする請求項１６に記載の医用画像診断システム。
【発明の詳細な説明】
【技術分野】
【０００１】
本発明は、被検者に関する医用画像を撮影する医用画像診断装置、医用画像診断システムに関する。
【背景技術】
【０００２】
たとえば、超音波診断装置、Ｘ線ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置などの医用画像診断装置では、被検者に関する画像を撮影し、得られた画像を、被検者の氏名、ＩＤ番号、性別、生年月日など、被検者に関する情報とともに医用画像診断装置の記憶部に記憶するようになっている（例えば、特許文献１参照）。このように、医用画像を被検者の氏名等とともに記憶することにより、記憶された画像を読み出して診断する際に、氏名等も表示され、被検者の本人確認等を行った上で診断することができるようになっている。
【特許文献１】特開２００６−１４７８０号公報
【発明の開示】
【発明が解決しようとする課題】
【０００３】
しかし、前記医用画像診断装置に記憶された医用画像は、学会発表などの事例として利用されることがある。この場合、そのまま医用画像を表示させてしまうと、被検者の氏名等も表示されてしまうことから、氏名等の被検者に関する情報を消去するなど、プライバシーを保護するための処理を施す必要があり、煩雑である。従って、操作者に特別な負担を強いることなく、被検者に関する情報の秘匿化を図ることが望まれている。
【０００４】
また、例えば超音波診断装置のように移動が可能な医用画像診断装置は、修理などの目的で病院外へ持ち出されることもあるため、被検者に関する情報が秘匿化されていることが望ましい。
【０００５】
本発明が解決しようとする課題は、医用画像とともに表示される被検者に関する情報を秘匿化したい場合に、操作者に負担を強いることなく秘匿化できる医用画像診断装置及び医用画像診断システムを提供することにある。
【課題を解決するための手段】
【０００６】
この発明は、前記課題を解決するためになされたもので、第１の観点の発明は、被検者の医用画像が記憶された記憶部と、該記憶部に記憶された医用画像を表示する表示部と、被検者に関する情報が記憶されたサーバーとネットワークを介して接続するためのネットワークインターフェースと、前記サーバーから被検者に関する情報が送信された場合にのみ、このサーバーから送信された被検者に関する情報を、前記記憶部に記憶された医用画像とともに前記表示部に表示させる表示制御部と、を備えることを特徴とする医用画像診断装置である。
【０００７】
第２の観点の発明は、第１の観点の発明において、前記表示制御部は、前記医用画像診断装置が前記サーバーと接続状態にある時に、被検者に関する情報を医用画像とともに前記表示部に表示させることを特徴とする医用画像診断装置である。
【０００８】
第３の観点の発明は、第１，２の観点の発明において、前記医用画像診断装置は、前記サーバーと通信を行なって、該サーバーに記憶された特定の被検者に関する情報を送信するよう前記サーバーへ要求する制御部を備え、前記表示制御部は、前記制御部の送信要求に応じて前記サーバーから送信された特定の被検者に関する情報を医用画像とともに表示させることを特徴とする医用画像診断装置。
【０００９】
第４の観点の発明は、第３の観点の発明において、前記制御部は前記サーバーと通信できない状態にあるとき、被検者に関する情報を表示させないように前記表示制御部へ指示信号を出力することを特徴とする医用画像診断装置である。
【００１０】
第５の観点の発明は、第１〜４のいずれか一の観点の発明において、前記記憶部には複数の被検者の医用画像が記憶されており、また、前記サーバーには複数の被検者に関する情報が記憶されており、前記医用画像診断装置は、複数の被検者のうち、前記記憶部に記憶された医用画像及び前記サーバーに記憶された情報が表示される被検者を特定するための入力を行う入力部を備え、前記表示制御部は、前記入力部による入力によって特定された被検者の医用画像及び前記サーバーに記憶された情報を表示させることを特徴とする医用画像診断装置である。
【００１１】
第６の観点の発明は、第５の観点の発明において、前記サーバーには、被検者に関する情報として、複数の被検者の氏名及び／又はＩＤを含む情報が記憶されており、前記表示制御部は、前記サーバーに記憶された複数の被検者の情報として、少なくとも氏名及び／又はＩＤを前記表示部に表示させた後、該表示部に表示された複数の被検者の中から、前記入力部によって特定の被検者が選択されると、選択された被検者について前記サーバーに記憶された情報を医用画像とともに表示させることを特徴とする医用画像診断装置である。
【００１２】
第７の観点の発明は、第６の観点の発明において、前記制御部は、前記サーバーに記憶された複数の被検者の情報のうち、少なくとも氏名及び／又はＩＤの情報を送信するよう前記サーバーへ要求し、前記表示制御部は、前記制御部の送信要求に応じて前記サーバーから送信された複数の被検者の氏名及び／又はＩＤを前記表示部に表示させ、この表示により、医用画像及び前記サーバーに記憶された情報を表示させたい被検者の選択を可能にすることを特徴とする医用画像診断装置である。
【００１３】
第８の観点の発明は、第６，７の観点の発明において、前記制御部は、前記表示部に氏名及び／又はＩＤが表示された複数の被検者の中から特定の被検者が選択されると、この特定の被検者について前記サーバーに記憶された情報を送信するよう前記サーバーへ要求し、前記表示制御部は、前記制御部の送信要求に応じて前記サーバーから送信された特定の被検者に関する情報を医用画像とともに前記表示部に表示させることを特徴とする医用画像診断装置である。
【００１４】
第９の観点の発明は、第６の観点の発明において、前記制御部は、前記サーバーに記憶された複数の被検者の氏名及び／又はＩＤを含む情報を送信するよう前記サーバーへ要求し、前記表示制御部は、前記制御部の送信要求に応じて前記サーバーから送信された複数の被検者の氏名及び／又はＩＤを含む情報を前記表示部に表示させた後、前記表示部に表示された複数の被検者の中から特定の被検者が選択されると、選択された被検者についての情報を医用画像とともに前記表示部に表示させることを特徴とする医用画像診断装置である。
【００１５】
第１０の観点の発明は、第５の観点の発明において、被検者を特定するために前記入力部で入力される情報は、被検者の氏名及び／又はＩＤであり、前記制御部は、前記入力部によって入力された氏名及び／又はＩＤによって特定される被検者について前記サーバーに記憶された情報を送信するよう前記サーバーへ要求し、前記表示制御部は、前記制御部の送信要求に基づいて前記サーバーから送信された特定の被検者に関する情報を医用画像とともに前記表示部に表示させることを特徴とする医用画像診断装置である。
【００１６】
第１１の観点の発明は、第１〜１０のいずれか一の観点の発明において、前記記憶部に記憶された医用画像データに付帯して被検者のＩＤ情報が記憶されていることを特徴とする医用画像診断装置である。
【００１７】
第１２の観点の発明は、被検者に関する情報が記憶されたサーバーと、該サーバーとネットワークを介して接続される医用画像診断装置とを備え、該医用画像診断装置は、被検者の医用画像が記憶された記憶部と、該記憶部に記憶された医用画像を表示する表示部と、前記サーバーとネットワークを介して接続するためのネットワークインターフェースと、前記サーバーから被検者に関する情報が送信された場合にのみ、このサーバーから送信された被検者に関する情報を、前記記憶部に記憶された医用画像とともに前記表示部に表示させる表示制御部とを有することを特徴とする医用画像診断システムである。
【００１８】
第１３の観点の発明は、第１２の観点の発明において、前記表示制御部は、前記医用画像診断装置が前記サーバーと接続状態にある時に、被検者に関する情報を医用画像とともに前記表示部に表示させることを特徴とする医用画像診断システムである。
【００１９】
第１４の観点の発明は、第１２，１３の観点の発明において、前記医用画像診断装置は、前記サーバーと通信を行なって、該サーバーに記憶された特定の被検者に関する情報を送信するよう前記サーバーへ要求する制御部を有し、前記表示制御部は、前記制御部の送信要求に応じて前記サーバーから送信された特定の被検者に関する情報を医用画像とともに表示させることを特徴とする医用画像診断システムである。
【００２０】
第１５の観点の発明は、第１４の観点の発明において、前記制御部は前記サーバーと通信できない状態にあるとき、被検者に関する情報を表示させないように前記表示制御部へ指示信号を出力することを特徴とする医用画像診断システムである。
【００２１】
第１６の観点の発明は、第１２〜１５のいずれか一の観点の発明において、前記記憶部には複数の被検者の医用画像が記憶されており、また、前記サーバーには複数の被検者に関する情報が記憶されており、前記医用画像診断装置は、複数の被検者のうち、前記記憶部に記憶された医用画像及び前記サーバーに記憶された情報が表示される被検者を特定するための入力を行う入力部を有し、前記表示制御部は、前記入力部による入力によって特定された被検者の医用画像及び前記サーバーに記憶された情報を表示させることを特徴とする医用画像診断システムである。
【００２２】
第１７の観点の発明は、第１６の観点の発明において、前記サーバーは、該サーバーに記憶された複数の被検者に関する情報として、少なくとも氏名及び／又はＩＤを含む情報を前記画像診断装置側へ送信し、前記表示制御部は、前記サーバーから送信された複数の被検者の情報として、少なくとも氏名及び／又はＩＤを含む情報を前記表示部に表示させた後、該表示部に表示された複数の被検者の中から、前記入力部によって特定の被検者が選択されると、選択された被検者について前記サーバーに記憶された情報を医用画像とともに表示させることを特徴とする医用画像診断システムである。
【００２３】
第１８の観点の発明は、第１７の観点の発明において、前記サーバーから前記画像診断装置側への情報送信は、前記制御部から前記サーバーへの送信要求に応じて行なわれることを特徴とする医用画像診断システムである。
【００２４】
第１９の観点の発明は、第１６の観点の発明において、被検者を特定するために前記入力部で入力される情報は、被検者の氏名及び／又はＩＤであり、前記制御部は、前記入力部によって入力された氏名及び／又はＩＤによって特定される被検者について前記サーバーに記憶された情報を送信するよう前記サーバーへ要求し、前記サーバーは、前記制御部から送信要求があった被検者について前記サーバーに記憶された情報を前記医用画像診断装置側へ送信し、前記表示制御部は、前記サーバーから送信された特定の被検者に関する情報を医用画像とともに前記表示部に表示させることを特徴とする医用画像診断システムである。
【発明の効果】
【００２５】
第１，１２の観点の発明によれば、被検者に関する情報が、前記医用画像診断装置ではなく、前記サーバーに記憶されている。従って、被検者に関する情報が、前記サーバーから送信された場合にのみ、前記医用画像診断装置の表示部に、医用画像とともに被検者に関する情報を表示させることができる。一方、被検者に関する情報が、前記サーバーから送信されない状態では、前記医用画像診断装置側には被検者に関する情報を表示することができない。これにより、特別な負担を強いることなく、被検者に関する情報の秘匿化を図ることができる。
【００２６】
第２，１３の観点によれば、前記医用画像診断装置が前記サーバーと接続状態にある時には、被検者に関する情報が医用画像とともに前記表示部に表示される。一方、前記サーバーと接続状態にない時には、被検者に関する情報は、前記表示部に表示されない。これにより、特別な負担を強いることなく、被検者に関する情報の秘匿化を図ることができる。
【００２７】
第３，１４の観点の発明によれば、前記制御部の送信要求に応じて前記サーバーから特定の被検者に関する情報が送信された場合にのみ、この被検者に関する情報が表示される。一方、前記サーバーから特定の被検者に関する情報が送信されない場合にはその表示がされないので、特別な負担を強いることなく、被検者に関する情報の秘匿化を図ることができる。
【００２８】
第４，１５の観点の発明によれば、前記医用画像診断装置が前記サーバーと接続状態になく、前記制御部が前記サーバーと通信できない状態にあるとき、被検者に関する情報が表示されない。これにより、特別な負担を強いることなく、被検者に関する情報の秘匿化を図ることができる。
【００２９】
第５，１６の観点の発明によれば、医用画像および前記サーバーに記憶された情報を表示させたい被検者を特定するための入力を前記入力部によって行なうと、この被検者についての医用画像及び前記サーバーに記憶された情報が表示される。
【００３０】
第６，１７の観点の発明によれば、複数の被検者の情報として、少なくとも氏名及び／又はＩＤが前記表示部に表示され、この表示の中から選択された被検者についての医用画像及び前記サーバーに記憶された情報を、前記表示部に表示することができる。
【００３１】
第７の観点の発明によれば、医用画像及び前記サーバに記憶された情報を表示させたい被検者を前記表示部において選択するために、複数の被検者の氏名及び／又はＩＤが、前記制御部の送信要求に応じて前記サーバから送信され、前記表示部に表示される。
【００３２】
第８の観点の発明によれば、前記医用画像とともに前記表示部に表示される特定の被検者に関する情報が、前記制御部の送信要求に応じて前記サーバから送信され、医用画像とともに前記表示部に表示される。
【００３３】
第９の観点の発明によれば、前記サーバーから送信された複数の被検者の氏名及び／又はＩＤを含む情報が前記表示部に表示され、この表示の中から、特定の被検者が選択され、この特定の被検者の医用画像及び前記サーバに記憶された情報が前記表示部に表示される。
【００３４】
第１０，１９の観点の発明によれば、前記入力部によって氏名及び／又はＩＤが入力された被検者について前記サーバに記憶された情報が、前記サーバから送信され、医用画像とともに前記表示部に表示される。
【００３５】
第１１の観点の発明によれば、ＩＤ情報により、どの被検者の医用画像であるかを特定することができる。
【００３６】
第１８の観点の発明によれば、前記サーバーに記憶された複数の被検者に関する少なくとも氏名及び／又はＩＤを含む情報の送信と、前記入力部によって選択された特定の被検者について前記サーバに記憶された情報の送信が、前記制御部から前記サーバーへの送信要求に応じて行なわれる。
【発明を実施するための最良の形態】
【００３７】
以下、本発明の実施形態について図面に基づいて詳細に説明する。
（第一実施形態）
先ず第一実施形態について説明する。図１は本発明に係る医用画像診断システムの実施の形態の一例を示す概略構成図、図２は図１に示す医用画像診断システムにおける医用画像診断装置の概略構成を示すブロック図、図３は、サーバーに情報が記憶されていない新たな被検者について、医用画像診断装置による医用画像の取得を行う際における医用画像診断システムの動作を示すフロー図、図４は表示部に表示された登録画面の一例を示す図、図５は、医用画像の表示を行なう際における医用画像診断システムの動作を示すフロー図、図６は表示部に表示された複数の被検者の氏名及びＩＤの一覧画面の一例を示す図、図７は被検者に関する情報と医用画像とを合成した画像の一例を示す図である。
【００３８】
図に示す医用画像診断システム１は、例えば病院内などに設置され、医用画像診断装置２とサーバー（ｓｅｒｖｅｒ）３とがネットワーク（ｎｅｔｗｏｒｋ）４を介して接続されている。前記医用画像診断装置２は、超音波診断装置、Ｘ線ＣＴ装置、ＭＲＩ装置などである。前記医用画像診断システム１は、前記医用画像診断装置２を複数台備えていてもよい。医用画像診断装置２を複数台備える場合、すべて同種の装置であってもよいし、異種の装置であってもよい。
【００３９】
前記サーバー３は、データベース３１を有する。このデータベース３１には、複数の被検者に関する情報が記憶されている。本例では、この被検者に関する情報として、被検者のＩＤ、氏名、性別、生年月日が記憶されている。ここで、前記データベース３１に記憶される被検者の情報は、診断以外の時などには被検者が秘匿化したいと思う情報を含む情報である。特に、氏名については、被検者が秘匿化を望む情報であり、前記データベース３１には、この氏名を含む情報が記憶される。
【００４０】
ちなみに、前記サーバ３に前記ネットワーク４を介して複数台の医用画像診断装置２が接続されている場合、前記データベース３１には、各医用画像診断装置２において撮影された被検者に関する情報が記憶される。
【００４１】
また、前記サーバー３は、前記医用画像診断装置２側からＩＤ付与の請求があったとき、前記医用画像診断装置２へＩＤ情報を送信するようになっている。
【００４２】
前記医用画像診断装置２について、図２を参照して説明する。前記医用画像診断装置２は、ネットワークインタフェース２１、記憶部２２、表示部２３、表示制御部２４、制御部２５、入力部２６を有し、前記ネットワークインターフェース２１により前記ネットワーク４に接続されている。また、前記医用画像診断装置２は、図示しないが、医用画像の撮影を行う撮影部や、撮影部で得られたデータに基づいて医用画像データを作成する医用画像データ作成部を有している。
【００４３】
前記記憶部２２には、複数の被検者の医用画像（超音波画像、Ｘ線ＣＴ画像、ＭＲＩ画像など）が記憶されている。また、前記記憶部２２には、医用画像データに付帯して被検者のＩＤ情報が記憶されている。より詳細には、被検者のＩＤ情報は、医用画像のピクセルデータ内に埋め込まれている。
【００４４】
ここで、前記記憶部２２には、被検者に関する情報のうち、被検者が秘匿化を望む情報は記憶されないが、秘匿化しなくてもよい情報が記憶されていてもよい。本例では、医用画像がどの被検者のものかを特定するための情報として、上述のように前記記憶部２２に被検者のＩＤが記憶される。被検者のＩＤ自体は、数字等の羅列であり、本例では被検者が秘匿化しなくてもよい情報として挙げた。
【００４５】
前記表示部２３には、前記記憶部２２に記憶された医用画像（ＩＤ情報を含む）が表示されるようになっている。また、前記表示部２３には、前記サーバー３に記憶された被検者に関する情報も表示されるようになっている。
【００４６】
前記表示制御部２４は、前記表示部２３に表示する画像を作成するようになっている。前記表示制御部２４は、前記記憶部２２に記憶された医用画像及び前記サーバー３に記憶された被検者に関する情報を表示させる場合、これら医用画像及び被検者に関する情報を合成し、前記表示部２３に表示させるようになっている。
【００４７】
ここで、前記表示制御部２４は、前記サーバー３から被検者に関する情報が送信され、なおかつ前記医用画像診断装置２が前記サーバー３と接続状態にある時に、このサーバー３から送信された被検者に関する情報を医用画像とともに前記表示部２３に表示させる。従って、前記表示制御部２４は、前記サーバー３から被検者に関する情報が送信されない場合、及び前記医用画像診断装置２が前記サーバー３と接続状態にない時、前記表示部２３に被検者に関する情報を表示させない。
【００４８】
ちなみに、被検者に関する情報を表示させない時であっても、前記医用画像のみを表示させるようになっていてもよい。また、被検者に関する情報を表示させない時には、医用画像も表示させないようになっていてもよい。
【００４９】
前記制御部２５は、前記医用画像診断装置２の各部を制御するようになっている。また、前記制御部２５は、前記ネットワークインタフェース２１を介して前記サーバー３と通信を行なうための信号を出力する。そして、前記制御部２５は、前記サーバー３と通信を行なえる状態にある時に、前記サーバー３と接続状態にあることを認識する。すなわち、接続状態にあるとは、前記制御部２５がサーバー３と通信を行なえる状態にある時をいう。前記制御部２５は、前記医用画像診断装置２が前記ネットワーク４と物理的に接続されている時には、常に前記サーバー３と通信を行なうようにしてもよいし、前記入力部２６によってパスワードが入力された後に、サーバー３と通信を行うようにしてもよい。
【００５０】
また、前記制御部２５は、前記サーバー３のデータベース３１に記憶された被検者に関する情報の送信を要求する信号を、前記サーバー３へ出力するようになっている。
【００５１】
前記入力部２６は、マウスやトラックボールなどのポインティングデバイスとキーボードとを有している。この入力部２６により、医用画像及び前記サーバー３に記憶された情報を表示させたい被検者を特定するための入力が行われるようになっている。
【００５２】
さて、前記医用画像診断システム１の作用について説明する。図３は、前記サーバー３に情報が記憶されていない新たな被検者について、前記医用画像診断装置１による医用画像の取得を行う際における医用画像診断システム１の動作を示すフロー図である。図３に示すように、先ずステップＳ１では、前記サーバー３のデータベース３１への登録を行なう。具体的には、前記表示部２３には、登録を行なうためのボタン（図示省略）が表示され、操作者は、このボタンを前記入力部２６のポインティングデバイスを用いて押す。これにより、前記制御部２５からＩＤ付与の要求信号が前記サーバ−３へ出力され、このサーバー３から前記制御部２５へ新たなＩＤが送信される。前記サーバー３から新たなＩＤが送信されると、前記表示制御部２４は、図４に示すように、新たな被検者を登録するための登録画面を前記表示部２３に表示させる。この登録画面は、被検者のＩＤ、氏名、性別、生年月日の項目を有しており、ＩＤの欄には、前記サーバー３から送信されたＩＤが表示されている。そして、操作者が前記入力部２６を用いて、被検者の氏名、性別及び生年月日を入力すると、前記制御部２５は、これらの情報を前記サーバー３から送信されたＩＤとともに前記サーバー３へ送信する。前記サーバー３では、前記制御部２５から送信されたＩＤ、氏名、性別及び生年月日を前記データベース３１に記憶する。以上により、被検者の登録が終了する。
【００５３】
被検者の登録が終了すると、ステップＳ２では、前記医用画像診断装置２によって被検者の医用画像の撮影を行う。そして、このステップＳ２において得られた医用画像は、ステップＳ３において、前記医用画像診断装置２の記憶部２２に、前記サーバー３から送信されたＩＤとともに記憶される。
【００５４】
ちなみに、過去に前記医用画像診断システム１において医用画像の撮影を行った被検者について再度撮影を行う場合は、上記のステップＳ２の登録作業を省略し、撮影を行う。得られた医用画像は、被検者に付与されているＩＤとともに、前記医用画像診断装置２の記憶部２２に記憶される。このとき、医用画像とともに記憶されるＩＤは、前記入力部２６を用いて直接入力してもよい。また、前記入力部２６を用いて被検者の名前を入力すると、この名前に対応するＩＤが前記サーバー３から送信され、このＩＤを医用画像とともに記憶するようにしてもよい。
【００５５】
次に、前記医用画像診断装置２の記憶部２２に記憶された医用画像の表示について、図５に基づいて説明する。図５は、医用画像の表示を行なう際における医用画像診断システムの動作を示すフロー図である。図５に示すように、先ずステップＳ１０では、前記入力部２６において、前記表示部２３に医用画像を表示させる操作を操作者が行なう。次に、ステップＳ１１では、前記制御部２５は、前記サーバー３と接続状態にあるか否か、すなわちサーバー３と通信を行なえる状態にあるか否かを判断する。ステップＳ１１において、サーバー３と接続状態にあると判断された場合、ステップＳ１２の処理へ移行する。一方、ステップＳ１１において、サーバー３と通信状態にないと判断された場合、ステップＳ１３の処理へ移行する。
【００５６】
ステップＳ１２では、前記制御部２５は、前記サーバー３に記憶された複数の被検者の情報のうち、氏名及びＩＤの情報を送信するよう前記サーバー３へ送信要求信号を出力する。ただし、前記制御部２５は、氏名及びＩＤの一方のみを送信するよう前記サーバー３へ送信要求信号を出力してもよい。
【００５７】
一方、ステップＳ１３では、前記制御部２５は、前記表示制御部２４に指示信号を出力し、前記記憶部２２に記憶されたＩＤのみが付加された医用画像を前記表示部２３に表示させる（すなわち、氏名、性別及び生年月日は表示されない）。或いは、このステップＳ１３では、前記表示部２３に何も表示させないようにしてもよい。
【００５８】
ステップＳ１２において、前記制御部２５から前記サーバー３へ送信要求信号が出力されると、ステップＳ１４において、前記サーバー３は、前記制御部２５からの送信要求信号に応じて、前記データベース３１に記憶された複数の被検者の氏名及びＩＤの情報を前記制御部２５へ送信する。そして、前記制御部２５は、前記サーバー３から複数の被検者の氏名及びＩＤの情報が送信されると、ステップＳ１５において、これを前記表示制御部２４へ出力し、この表示制御部２４は、図６に示すように、前記表示部２３に複数の被検者の氏名及びＩＤの一覧を表示させる。ただし、氏名及びＩＤの一方のみが前記サーバー３から送信され、これを表示させてもよい。
【００５９】
次に、ステップＳ１６では、操作者は、前記表示部２３に氏名及びＩＤが表示された複数の被検者の中から、医用画像及び前記データベース３１に記憶された情報を表示させたい被検者を選択する。本例では、前記入力部２６のポインティングデバイスを用いて、前記表示部２３上で所望の被検者の氏名又はＩＤを指定する。そして、特定の被検者が指定されると、ステップＳ１７へ移行し、前記制御部２５は、指定された被検者について、前記データベース３１に記憶された情報のうち、前記医用画像診断装置２側へ送信されていない情報、すなわち性別及び生年月日の情報を送信するよう前記サーバー３へ送信要求信号を出力する。
【００６０】
次に、ステップＳ１８では、前記サーバー３は、前記制御部２５から送信要求があった被検者の性別及び生年月日を検索してこれを前記制御部２５へ送信する。前記制御部２５は、前記サーバー３から被検者の性別及び生年月日の情報が送信されると、これらを前記表示制御部２４へ出力する。そして、ステップＳ１９では、前記表示制御部２４は、性別及び生年月日の他、先に前記サーバー３から送信された氏名の情報と、前記記憶部２２に記憶された医用画像のうち前記入力部２６によって特定された被検者の医用画像とを合成し、図７に示すように前記表示部２３に表示させる。医用画像には、付帯情報としてＩＤ情報が埋め込まれており、医用画像とともにＩＤも表示されている。ちなみに、この図７では、医用画像として超音波画像Ｕが表示されている。すなわち、ここでは前記医用画像診断装置２は超音波診断装置である。
【００６１】
ここで、例えば前記記憶部２２に記憶された複数の被検者についての医用画像を前記表示部２３に表示させ、この中から例えば学会発表などの目的に使用する画像を選択して、これを外部記憶媒体に記憶させる場合、前記制御部２５と前記サーバー３との接続を解除し、通信を行なわない状態とする。これにより、上述のステップＳ１０の表示操作の処理を行うと、ステップＳ１１，Ｓ１２のステップへ進み、氏名、性別及び生年月日が前記表示部２３に表示されず、前記記憶部２２に記憶されたＩＤが付加された医用画像のみが表示される。従って、このＩＤが付加された医用画像のみを図示しない外部記憶媒体に記憶させることができる。
【００６２】
また、前記医用画像診断装置２について修理を行なうなどの目的で、病院外の修理場所など前記制御部２５がサーバー３と通信できないような場所に前記医用画像診断装置２が置かれた場合にあっても、氏名、性別及び生年月日は前記表示部２３に表示されない。
【００６３】
さらに、前記制御部２５と前記サーバー３との接続が開始され、前記サーバー３から被検者に関する情報が一旦送信され、ＩＤに加えて氏名、性別及び生年月日も医用画像とともに表示されている場合であっても、前記制御部２５と前記サーバー３との接続が解除された場合、氏名、性別及び生年月日を前記表示部２３に表示させないようにしてもよい。具体的には、前記制御部２５は、前記サーバー３と通信できないと認識したとき、前記表示制御部２４へ氏名、性別及び生年月日を非表示にするよう指示信号を出力する。
【００６４】
以上説明した本例によれば、被検者に関する情報が、前記医用画像診断装置２ではなく、前記サーバー３に記憶されているので、被検者に関する情報が前記サーバー３から送信された場合にのみ、前記医用画像診断装置２の表示部２３に、医用画像とともに被検者に関する情報を表示させることができる。また、前記制御部２５が前記サーバー３と接続状態にある時に、前記表示部２３に医用画像とともに被検者に関する情報を表示させることができる。一方、被検者に関する情報が、前記サーバー３から送信されない状態、及び前記制御部２５が前記サーバー３と接続状態にない時、被検者に関する情報が表示されない。これにより、特別な負担を強いることなく、被検者に関する情報の秘匿化を図ることができる。
【００６５】
次に、第一実施形態の変形例について説明する。上述のステップＳ１５においては、医用画像及び前記サーバー３に記憶された情報を表示させたい被検者を選択するために、前記表示部２３に複数の被検者の氏名及びＩＤが表示されるようになっているが、これら氏名及びＩＤを含む情報、すなわち氏名及びＩＤの他に性別及び生年月日も表示させるようになっていてもよい。具体的に説明すると、上述のステップＳ１２において、前記制御部２５は、前記サーバー３に記憶された複数の被検者の氏名、ＩＤ、性別及び生年月日の情報を送信するよう前記サーバー３へ送信要求信号を出力する。そして、前記サーバー３は、ステップＳ１４において、前記制御部２５からの送信要求信号に応じて、前記データベース３１に記憶された複数の被検者の氏名、ＩＤ、性別及び生年月日の情報を前記制御部２５へ送信する。前記制御部２５は、前記サーバー３から複数の被検者の氏名、ＩＤ、性別及び生年月日の情報が送信されると、これを前記表示制御部２４へ出力する。そして、ステップＳ１５において、前記表示制御部２４は、図８に示すように、前記表示部２３に複数の被検者の氏名、ＩＤ、性別及び生年月日の一覧を表示させる。
【００６６】
そして、ステップＳ１６において、操作者により、前記表示部２３に氏名等が表示された複数の被検者の中から、前記入力部２６のポインティングデバイス等により、医用画像及び前記データベース３１に記憶された情報を表示させたい被検者が選択されると、ステップＳ１８へ移行し、前記表示制御部２４は、選択された特定の被検者の氏名、性別及び生年月日の情報と、その被検者について前記記憶部２２に記憶された医用画像とを合成し、前記表示部２３に表示させる（図７参照）。ちなみに、ステップＳ１７の処理は省略される。
【００６７】
（第二実施形態）
次に、第二実施形態について説明する。以下、第一実施形態と異なる事項について説明する。図９は、第二実施形態において、医用画像の表示を行なう際における医用画像診断システムの動作を示すフロー図である。図９に示すように、先ずステップＳ２０において、操作者が、前記表示部２３に医用画像を表示させる操作を前記入力部２６において行なうと、ステップＳ２１において、前記制御部２５の指令により、前記表示制御部２４は、図１０に示すように、氏名及びＩＤの入力画面を前記表示部２３に表示させる。そして、操作者が、前記入力部２６を用いて、氏名及びＩＤのうち、少なくとも一方を入力すると、ステップＳ２２の処理へ移行し、前記制御部２５は、前記サーバー３と接続状態にあるか否か、すなわち前記サーバー３と通信を行なえる状態にあるか否かを判断する。ステップＳ２２において、前記サーバー３と接続状態にあると判断された場合、ステップＳ２３の処理へ移行する。一方、ステップＳ２２において、前記サーバー３と接続状態にないと判断された場合、ステップＳ２４の処理へ移行する。
【００６８】
ステップＳ２３では、前記制御部２５は、前記サーバー３に記憶された複数の被検者の情報のうち、ステップＳ２１において入力された情報により特定される被検者について前記サーバー３に記憶された情報を送信するよう前記サーバー３へ送信要求信号を出力する。
【００６９】
一方、ステップＳ２４では、前記制御部２５は、前記記憶部２２に記憶されたＩＤのみが付加された医用画像を前記表示部２３に表示させる（すなわち、氏名、性別及び生年月日は表示されない）。或いは、このステップＳ２４では、前記表示部２３に何も表示させないようにしてもよい。
【００７０】
次に、ステップＳ２５では、前記サーバー３は、前記制御部２５から送信要求があった特定の被検者の氏名、ＩＤ、性別及び生年月日を検索して、これらを前記制御部２５へ送信する。前記制御部２５は、前記サーバー３から被検者の氏名、ＩＤ、性別及び生年月日の情報が送信されると、ステップＳ２６において、これらを前記表示制御部２４へ出力し、この表示制御部２４は、前記サーバー３から送信された被検者の氏名、ＩＤ、性別及び生年月日の情報と、前記記憶部２２に記憶された医用画像とを合成し、これを前記表示部２３に表示させる（図７参照）。
【００７１】
以上説明した第二実施形態によっても、第一実施形態と同様の効果を得ることができる。
【００７２】
以上、本発明を前記実施形態によって説明したが、この発明はその主旨を変更しない範囲で種々変更実施可能なことはもちろんである。例えば、前記サーバー３のデータベース３１に記憶される被検者に関する情報は、被検者の氏名、ＩＤ、性別及び生年月日に限られるものではない。
【００７３】
また、前記表示制御部２４は、前記サーバー３から被検者に関する情報が一旦送信された後は、前記医用画像診断装置２が前記サーバー３と接続状態にない時であっても、前記サーバー３から送信された被検者に関する情報を医用画像とともに前記表示部２３に表示させるようにしてもよい。例えば、前記医用画像診断装置２が前記サーバー３と接続状態になくても、前記サーバー３から被検者に関する情報が送信された後、前記医用画像診断装置２の主電源がオン状態にある時に、前記サーバー３から送信された被検者に関する情報を前記表示部２３に表示させるようにしてもよい。また、前記サーバー３から被検者に関する情報が送信されて、この情報が医用画像とともに表示されている時に、前記医用画像診断装置２と前記サーバー３との接続とは関係なく、操作者による前記入力部２６の操作により、前記表示制御部２４が、被検者に関する情報を表示させないようにしてもよい。
【図面の簡単な説明】
【００７４】
【図１】本発明に係る医用画像診断システムの実施の形態の一例を示す概略構成図である。
【図２】図１に示す医用画像診断システムにおける医用画像診断装置の概略構成を示すブロック図である。
【図３】サーバーに情報が記憶されていない新たな被検者について、医用画像診断装置による医用画像の取得を行う際における医用画像診断システムの動作を示すフロー図である。
【図４】表示部に表示された登録画面の一例を示す図である。
【図５】医用画像の表示を行なう際における医用画像診断システムの動作を示すフロー図である。
【図６】表示部に表示された複数の被検者の氏名及びＩＤの一覧画面の一例を示す図である。
【図７】被検者に関する情報と医用画像とを合成した画像の一例を示す図である。
【図８】第一実施形態の変形例において、表示部に表示された複数の被検者の氏名、ＩＤ、性別及び生年月日の一覧画面の一例を示す図である。
【図９】第二実施形態において、医用画像の表示を行なう際における医用画像診断システムの動作を示すフロー図である。
【図１０】第二実施形態において、表示部に表示された氏名及びＩＤの入力画面の一例を示す図である。
【符号の説明】
【００７５】
１  医用画像診断システム
２  医用画像診断装置
３  サーバー
４  ネットワーク
２１  ネットワークインタフェース
２２  記憶部
２３  表示部
２４  表示制御部
２５  制御部
２６  入力部
【図１】
2010022678.tif 000003
【図２】
2010022678.tif 000004
【図３】
2010022678.tif 000005
【図４】
2010022678.tif 000006
【図５】
2010022678.tif 000007
【図６】
2010022678.tif 000008
【図７】
2010022678.tif 000009
【図８】
2010022678.tif 000010
【図９】
2010022678.tif 000011
【図１０】
2010022678.tif 000012